(57)【特許請求の範囲】
【請求項１】
取付対象機器の軸にビルトイン型回転機のロータの軸を取付ける際に取付方向が逆になることを防止するために該ビルトイン型回転機に設けられた逆取付防止構造であって、該ビルトイン型回転機の表面上に設けられた、取付方向を認識させる面上識別構造からなり、該面上識別構造は、該ビルトイン型回転機の一方端面に設けられていて他方端面との相違を認識させる端面識別体であり、該端面識別体は、該他方端面とは触覚上相違する表面構造により構成されていることを特徴とする、ビルトイン型回転機の逆取付防止構造。
【請求項２】
前記端面識別体は、前記他方端面とは視覚上相違する色彩、模様、形状（記号、文字、数字を含む。）、またはこれらの二もしくは三の結合により構成されていることを特徴とする、請求項１に記載のビルトイン型回転機の逆取付防止構造。
【請求項３】
取付対象機器の軸にビルトイン型回転機のロータの軸を取付ける際に取付方向が逆になることを防止するために該ビルトイン型回転機に設けられた逆取付防止構造であって、該ビルトイン型回転機の表面上に設けられた、取付方向を認識させる面上識別構造からなり、該面上識別構造は、該ビルトイン型回転機の一方端面に設けられていて他方端面との相違を認識させる端面識別体、および、該ロータの軸内表面に設けられていて取付対象機器の軸の形状に適合するように形成されている段差構造であることを特徴とする、ビルトイン型回転機の逆取付防止構造。
【請求項４】
前記端面識別体は、前記ビルトイン型回転機を構成するロータの端面、およびステータの端面に設けられていることを特徴とする、請求項１、２、３のいずれかに記載のビルトイン型回転機の逆取付防止構造。
【請求項５】
前記ロータ端面の端面識別体、およびステータ端面の端面識別体は、視覚上または観念上相互に適合する態様にて形成されていることを特徴とする、請求項４に記載のビルトイン型回転機の逆取付防止構造。
【請求項６】
前記ビルトイン型回転機はレゾルバであることを特徴とする、請求項１、２、３、４、５のいずれかに記載のビルトイン型回転機の逆取付防止構造。
【請求項７】
請求項１、２、３、４、５、６のいずれかに記載のビルトイン型回転機の逆取付防止構造を備えた、ビルトイン型回転機。
【請求項８】
請求項１、２、３、４、５のいずれかに記載のビルトイン型回転機の逆取付防止構造を備えた、レゾルバ。
【発明の詳細な説明】
【技術分野】
【０００１】
本発明はビルトイン型回転機、そのロータ逆取付防止構造およびレゾルバに係り、特に、ビルトインタイプのレゾルバ等ビルトイン型回転機の取付作業性を向上させることのできる、ビルトイン型回転機、そのロータ逆取付防止構造およびレゾルバに関するものである。
【背景技術】
【０００２】
回転機の回転角度を検出する検出器であるレゾルバには、種々のものがある（後掲特許文献開示技術はその一例）。レゾルバの中でビルトインタイプのレゾルバとよばれるものは、取付相手の回転機に組み込む方式のものである。使用者がビルトインタイプのレゾルバを使用する装置等に取り付ける際には、レゾルバのロータを取付相手の装置に対して正しい方向で装着する必要があり、そうすることによってレゾルバとして機能することができる。
【先行技術文献】
【特許文献】
【０００３】
【特許文献１】実開平４−３２５１６号公報「回転検出器構造」
【発明の概要】
【発明が解決しようとする課題】
【０００４】
図６は、従来のビルトインタイプのレゾルバの構造を示す半断面図である。図示するように従来のレゾルバ９１０では、これを相手側装置の軸９９に取り付ける際には、ロータを正しい方向で装着して、相手側装置の軸９９がレゾルバ軸９８に挿入されるようにしなくてはならない。
【０００５】
しかしレゾルバ９１０のロータの両端面は、使用者が、外観上からは取付方向を判別しにくい可能性のある形態であり、またレゾルバ軸９８に対してはいずれの端面からも相手側装置の軸９９との挿入状態を形成できる。したがって、取付作業においては実際に、レゾルバ９１０のロータのいずれの端面方向からでも相手側に対して取付可能であり、誤装着状態としてしまい、それによってレゾルバが機能しない事例が生じている。
【０００６】
かかる問題は従来、特に強く認識されているものではなく、したがって問題解決のための技術も特段示されていない。なお、この点は上記文献開示技術においても同様である。また、かかるビルトインタイプのレゾルバにおける問題は、さらに広くビルトインタイプのモータなど、ビルトインタイプの回転機全般にも敷衍できる。
【０００７】
そこで本発明が解決しようとする課題は、かかる従来技術の問題点を踏まえ、ビルトインタイプのレゾルバの取付の際に使用者が誤った向きで取り付けることを有効に防止することができ、それにより取付作業性を向上させることのできる、レゾルバおよびそのロータ逆取付防止構造を提供することである。さらに、ビルトインタイプの回転機の取付の際に使用者が誤った向きで取り付けることを有効に防止することができ、それにより取付作業性を向上させることのできる、ビルトイン型回転機等を提供することである。
【課題を解決するための手段】
【０００８】
本願発明者は上記課題について検討した結果、レゾルバの取付相手側の軸とレゾルバのロータの軸双方に、正しい方向でのみ取り付けられるよう互いに対応する段構造を設けたり、あるいは、レゾルバのロータとステータ端面のそれぞれに、正しい方向で取り付けた際に一致する色や記号等の表示構造を設けて使用者に逆取付防止の注意を喚起することにより、上記課題を解決できることを見出し、これに基づいて本発明を完成するに至った。すなわち、上記課題を解決するための手段として本願で特許請求される発明、もしくは少なくとも開示される発明は、以下の通りである。
【０００９】
〔１〕  取付対象機器の軸にビルトイン型回転機のロータの軸を取付ける際に取付方向が逆になることを防止するために該ビルトイン型回転機に設けられた逆取付防止構造であって、該ビルトイン型回転機の表面上に設けられた、取付方向を認識させる面上識別構造からなり、該面上識別構造は、該ビルトイン型回転機の一方端面に設けられていて他方端面との相違を認識させる端面識別体であり、該端面識別体は、該他方端面とは触覚上相違する表面構造により構成されていることを特徴とする、ビルトイン型回転機の逆取付防止構造。
〔２〕  前記端面識別体は、前記他方端面とは視覚上相違する色彩、模様、形状（記号、文字、数字を含む。）、またはこれらの二もしくは三の結合により構成されていることを特徴とする、〔１〕に記載のビルトイン型回転機の逆取付防止構造。
【００１０】
〔３〕 取付対象機器の軸にビルトイン型回転機のロータの軸を取付ける際に取付方向が逆になることを防止するために該ビルトイン型回転機に設けられた逆取付防止構造であって、該ビルトイン型回転機の表面上に設けられた、取付方向を認識させる面上識別構造からなり、該面上識別構造は、該ビルトイン型回転機の一方端面に設けられていて他方端面との相違を認識させる端面識別体、および、該ロータの軸内表面に設けられていて取付対象機器の軸の形状に適合するように形成されている段差構造であることを特徴とする、ビルトイン型回転機の逆取付防止構造。
〔４〕 前記端面識別体は、前記ビルトイン型回転機を構成するロータの端面、およびステータの端面に設けられていることを特徴とする、〔１〕、〔２〕、〔３〕のいずれかに記載のビルトイン型回転機の逆取付防止構造。
【００１１】
〔５〕  前記ロータ端面の端面識別体、およびステータ端面の端面識別体は、視覚上または観念上相互に適合する態様にて形成されていることを特徴とする、〔４〕に記載のビルトイン型回転機の逆取付防止構造。
〔６〕  前記ビルトイン型回転機はレゾルバであることを特徴とする、〔１〕、〔２〕、〔３〕、〔４〕、〔５〕のいずれかに記載のビルトイン型回転機の逆取付防止構造。
〔７〕  〔１〕、〔２〕、〔３〕、〔４〕、〔５〕、〔６〕のいずれかに記載のビルトイン型回転機の逆取付防止構造を備えた、ビルトイン型回転機。
〔８〕  〔１〕、〔２〕、〔３〕、〔４〕、〔５〕のいずれかに記載のビルトイン型回転機の逆取付防止構造を備えた、レゾルバ。
【発明の効果】
【００１２】
本発明のビルトイン型回転機、そのロータ逆取付防止構造およびレゾルバは上述のように構成されるため、これによれば、ビルトインタイプのレゾルバの取付の際に使用者が誤った向きで取り付けることを有効に防止することができる。また、それにより、取付作業性を向上させることができる。さらに、ビルトインタイプの回転機の取付の際に使用者が誤った向きで取り付けることを有効に防止することができ、それにより取付作業性を向上させることができる。
【００１３】
上述のように本発明のロータ逆取付防止構造はいずれも、簡便な構造・形態によって、取付が誤った方向とならないように作業者に対して注意喚起がなされるものである。また段差構造による逆取付防止構造は、機械的に取付を不能とすることで、誤りの発生を確実に示すことができる。
【図面の簡単な説明】
【００１４】
【図１】本発明のビルトイン型回転機の逆取付防止構造の基本構成を概念的に示す断面視の説明図である。
【図２】端面識別体による本発明のビルトイン型回転機の逆取付防止構造の例を概念的に示す端面視の説明図である。
【図３】段差構造による本発明のビルトイン型回転機の逆取付防止構造の例を概念的に示す断面視の説明図である。
【図４】本発明の実施例を示す半断面図である。
【図４−２】図４の要部について端面識別体を強調して示す拡大図である。
【図５】本発明の別の実施例を概念的に示す断面視の説明図である。
【図６】従来のビルトインタイプのレゾルバの構造を示す半断面図である。
【発明を実施するための形態】
【００１５】
以下、図面により本発明を詳細に説明する。
図１は、本発明のビルトイン型回転機の逆取付防止構造の基本構成を概念的に示す断面視の説明図である。なお、（ａ）、（ｂ）および（ｃ）の３つの基本構成パターンを示している。図示するように本ビルトイン型回転機の逆取付防止構造５ａ、５ｂ、５ｃ（以下、「５ａ等」。）は、取付対象機器の軸９にビルトイン型回転機１０ａ、１０ｂ、１０ｃ（以下、「１０ａ等」）のロータの軸８ａ、８ｂ、８ｃ（以下、「８ａ等」）を取付ける際に取付方向が逆になることを防止するために、ビルトイン型回転機１０ａ等に設けられた構造であって、ビルトイン型回転機１０ａ等の表面上に設けられた、取付方向を認識させる面上識別構造からなることを、基本的な構成とする。すなわち、図中符号５ａ、５ｂ、５ｃで示すものがビルトイン型回転機の逆取付防止構造であるが、それは面上識別構造であるので、以後の説明では両者ともに、符号５ａ等により示す。
【００１６】
かかる構成の本ビルトイン型回転機の逆取付防止構造すなわち面上識別構造５ａ等により、取付対象機器の軸９にビルトイン型回転機１０ａ等のロータの軸８ａ等を取り付ける際には、面上識別構造５ａ等は、取付作業を行う者（以下、「作業者」）に対して、取り付けようとしている方向が取付対象機器の軸９に対して適正な方向であるか否かを、面上識別構造５ａ等が備えた作用によって確実に認識させるため、取付方向が逆になることが、有効に防止される。
【００１７】
本発明のビルトイン型回転機の逆取付防止構造のうち、図中の（ａ）のパターンは、面上識別構造５ａがビルトイン型回転機１０ａの一方端面、つまり取付対象機器に近い方の端面に設けられており、これによって他方端面との相違を認識させることのできる端面識別体として構成されているパターンである。また、（ｂ）は設けられた端面が異なる他は、（ａ）と同様に面上識別構造５ｂが端面識別体として構成されているパターンである（なお、上述の面上識別構造と同様に、端面識別体もまた、ビルトイン型回転機の逆取付防止構造と共通した符号を用いて示す）。
【００１８】
これら（ａ）および（ｂ）のパターンの場合は、面上識別構造５ａ等の備えた特徴を作業者が知覚することによってそれが設けられた端面を認識し、適正な取付方向を判断することが可能であり、それに基づいて、取付方向が逆になることが有効に防止される。
【００１９】
端面識別体５ａ等としては、他方端面とは視覚上相違する色彩、模様、形状（記号、文字、数字を含む。）、またはこれらの二もしくは三の結合により構成されたもの、すなわち、色彩・模様結合体、色彩・形状結合体、模様・色彩結合体、色彩・模様・形状結合体を、適宜用いることができる。また、これらの具体的な態様は限定されない。つまり端面識別体５ａ等は、色や記号等によって視覚上特徴のある識別体であり、これにより注意喚起するものである。
【００２０】
図２は、端面識別体による本発明のビルトイン型回転機の逆取付防止構造の例を概念的に示す端面視の説明図である。ここに示すように本発明の逆取付防止構造は、端面識別体２５、２６として２箇所に設けてもよいし、それ以上設けてもよよい。またその具体的態様は、上述のとおり何らの限定なく、自由に設計することができる。
【００２１】
なお端面識別体は、他方端面とは触覚上相違する表面構造により構成するものとすることもできる。取付作業における適正な方向を示すために、一方端面のみに、たとえばザラザラする触感を与える表面構造を設け、これによって、逆取付を有効に防止するというものである。なお、触覚上の注意喚起を与えることのできるものであれば、表面構造はいかなるものでもよく、特に限定されない。
【００２２】
なお本発明に係る端面識別体は、ビルトイン型回転機の両端面に設けて、ただしそれぞれの端面で相違する態様のものとすることによって識別可能とする構成、ビルトイン型回転機のステータ・ロータいずれにも設けてその全体的な態様により識別性を高める構成、ビルトイン型回転機のロータ・ステータ端面のそれぞれに正しい方向で取り付けた際に一致する態様が現れるという構成、また、ビルトイン型回転機側と取付対象機器側の双方の端面に設ける構成などとしてもよい。
【００２３】
図３は、段差構造による本発明のビルトイン型回転機の逆取付防止構造の例を概念的に示す断面視の説明図である。ここに示すように本発明の逆取付防止構造、すなわち面上識別構造３５は、ロータの軸３８内表面に設けられた段差構造であり、段差構造３５は、取付対象機器の軸３９の形状に適合するように形成されていること、換言すれば段差構造３５と取付対象機器の軸３９における形状とは相互に適合するように形成されている構成であり、機械的に取付の誤りを防止できる構成である（なお、上述の面上識別構造、端面識別体と同様に、段差構造もまた、ビルトイン型回転機の逆取付防止構造と共通した符号を用いて示す）。
【００２４】
かかる構成により、ビルトイン型回転機３１０を取付対象機器の軸３９に対して誤った方向で取付ようとすると、段差構造３５が軸３９の形状と適合しないために一定の箇所で止まってしまい、装着状態を完成することができない。それにより、取付方向の誤りを認識することができ、適正な方向でやり直すことになり、適正な方向の場合には段差構造３５と軸３９の形状が適合するために途中で止まらずに、確実に適正な装着状態を完成することができる。
【００２５】
図４は、本発明の実施例を示す半断面図である。また、
図４−２は、図４の要部について端面識別体を強調して示す拡大図である。これらに示すように本ビルトイン型回転機の逆取付防止構造（面上識別構造）は、ビルトイン型回転機４１０の一方端面に設けられていて他方端面との相違を認識させる端面識別体４６、４４、および、ロータの軸４８内表面に設けられていて取付対象機器の軸４９の形状に適合するように形成されている段差構造４５、による複合的な構成とすることができる。
【００２６】
かかる構成により本例では、端面識別体４４、４６による視覚的もしくは触覚的な注意喚起、および段差構造４５による機械的な装着不能、両者の作用を得ることができ、本発明の効果をさらに高い確実性で得ることができる。
【００２７】
なお図示するように端面識別体４４等はビルトイン型回転機４１０の外表面上に乗って設けられた構成でも、あるいはまた埋め込まれた状態で設けられた構成であってもよい。
【００２８】
本発明は、ビルトインタイプのレゾルバにおける逆取付防止構造として好適に用いることができる。また、ビルトイン型回転機の逆取付防止構造を備えたビルトイン型回転機、レゾルバ自体もまた、本発明の範囲内である。
【００２９】
図５は、本発明の別の実施例を概念的に示す断面視の説明図である。図示するように本ビルトイン型回転機の逆取付防止構造（面上識別構造）は、ビルトイン型回転機を構成するロータ側の端面に設けられた端面識別体５１、およびステータ側の端面に設けられた端面識別体５５とにより構成されるものとすることもできる。
【００３０】
そして、ロータ側端面の端面識別体５１、およびステータ側端面の端面識別体５５とは、作業者に注意を喚起するのに十分な程度に、視覚上または観念上相互に適合する態様にて形成されるものとすることができる。たとえば、色彩、模様、記号、図形等の一致・類似する態様等である。あるいはまた、双方が異なる態様であっても、たとえば太陽の図形と月の図形のように、観念上一体にまたは関連して把握されるような態様でもよい。
【００３１】
取付対象機器５９に対するビルトイン型回転機５１０の取付が、ロータ、ステータ別々に行われる場合、一方が適正に取り付けられても、他方に過誤の乗じる場合もあり得る。しかし、本実施例に示した基本構成を備えることによって、ロータ側端面の端面識別体５１およびステータ側端面の端面識別体５５を、作業者をして、視覚上または観念上一体に、もしくは関連して把握せしめることができ、かかる把握がなされない場合には取付方法に誤りがあることを、十分に注意喚起することができる。なお端面識別体に関するその他の構成・作用効果については、先に説明した構成・作用効果を基本的に備えるものとする。
【産業上の利用可能性】
【００３２】
本発明のビルトイン型回転機、そのロータ逆取付防止構造およびレゾルバによれば、ビルトインタイプの回転機の取付の際に使用者が誤った向きで取り付けることを有効に防止することができ、それにより取付作業性を向上させることができる。したがって、当該分野および関連する全分野において、産業上利用性が高い発明である。
【符号の説明】
【００３３】
５ａ、５ｂ、５ｃ…ビルトイン型回転機の逆取付防止構造（面上識別構造）
２５、２６、４４、４６…ビルトイン型回転機の逆取付防止構造（端面識別体）
３５、４５…ビルトイン型回転機の逆取付防止構造（段差構造）
５１…ビルトイン型回転機の逆取付防止構造（端面識別体、ロータ側）
５５…ビルトイン型回転機の逆取付防止構造（端面識別体、ステータ側）
８ａ、８ｂ、８ｃ、２８、３８、４８、５８…ビルトイン型回転機のロータの軸
９、３９、４９、５９…取付対象機器の軸
１０ａ、１０ｂ、１０ｃ、２１０、３１０、４１０、５１０…ビルトイン型回転機
９１０…従来のビルトインタイプのレゾルバ
９８…従来のビルトインタイプのレゾルバの軸
９９…相手側装置の軸
【図１】
0006383911.tif 000002
【図２】
0006383911.tif 000003
【図３】
0006383911.tif 000004
【図４】
0006383911.tif 000005
【図４−２】
0006383911.tif 000006
【図５】
0006383911.tif 000007
【図６】
0006383911.tif 000008